(57)【要約】【課題】小型でありながら、諸収差の発生が充分に抑制され、解像度が高く高性能なインナーフォーカスレンズ系、交換レンズ装置及びカメラシステムを提供する。【解決手段】少なくとも１枚のレンズ素子で構成されたレンズ群を有し、最物体側レンズ群を備え、該最物体側レンズ群が、無限遠合焦状態から近接物体合焦状態へのフォーカシングの際に像面に対して固定で、以下の条件：ＢＦ／Ｙ＜１．７及び（Ｌ×ＦＮｏ）／ｆ＜２．２（ＢＦ：最像側レンズ素子の像側面から像面までの距離、Ｙ＝ｆ×ｔａｎω、Ｌ：レンズ全長、ＦＮｏ：Ｆナンバー、ｆ：焦点距離、ω：半画角）を同時に満足するか、又は以下の条件：（Ｌ×ＦＮｏ）／ｆ＜２．０（Ｌ：レンズ全長、ＦＮｏ：Ｆナンバー、ｆ：焦点距離）のみを満足するインナーフォーカスレンズ系、交換レンズ装置及びカメラシステム。【選択図】図１
2014142601.tif 000002
【特許請求の範囲】
【請求項１】
少なくとも１枚のレンズ素子で構成されたレンズ群を有するインナーフォーカスレンズ系であって、
最物体側に配置された最物体側レンズ群を備え、
前記最物体側レンズ群が、無限遠合焦状態から近接物体合焦状態へのフォーカシングの際に、像面に対して固定であり、
以下の条件（１）及び（２）を同時に満足するか、又は、以下の条件（２）’のみを満足する、インナーフォーカスレンズ系：
ＢＦ／Ｙ＜１．７  ・・・（１）
（Ｌ×ＦＮｏ）／ｆ＜２．２  ・・・（２）
（Ｌ×ＦＮｏ）／ｆ＜２．０  ・・・（２）’
ここで、
ＢＦ：レンズ系の最像側に配置されたレンズ素子の像側面の面頂から、像面までの距離、
Ｙ：次式で表される値
Ｙ＝ｆ×ｔａｎω、
Ｌ：レンズ全長（レンズ系の最物体側に配置されたレンズ素子の物体側面から像面までの光軸上の距離）、
ＦＮｏ：全系のＦナンバー、
ｆ：全系の焦点距離、
ω：全系の半画角
である。
【請求項２】
以下の条件（３）を満足する、請求項１に記載のインナーフォーカスレンズ系：
０．２＜Ｄａｉｒ／Ｙ＜１．５  ・・・（３）
ここで、
Ｄａｉｒ：無限遠合焦状態におけるレンズ系を構成するレンズ素子間の空気間隔のうち最大値、
Ｙ：次式で表される値
Ｙ＝ｆ×ｔａｎω、
ｆ：全系の焦点距離、
ω：全系の半画角
である。
【請求項３】
レンズ系の最像側に配置されたレンズ素子、及び、レンズ系の最像側から２番目に配置されたレンズ素子の少なくとも１つが、負のパワーを有する、請求項１に記載のインナーフォーカスレンズ系。
【請求項４】
無限遠合焦状態から近接物体合焦状態へのフォーカシングの際に光軸に沿って移動するフォーカシングレンズ群として、少なくとも第１フォーカシングレンズ群及び第２フォーカシングレンズ群を備える、請求項１に記載のインナーフォーカスレンズ系。
【請求項５】
第１フォーカシングレンズ群及び第２フォーカシングレンズ群の少なくとも１つが、単レンズ素子である、請求項４に記載のインナーフォーカスレンズ系。
【請求項６】
第１フォーカシングレンズ群及び第２フォーカシングレンズ群の少なくとも１つが、負のパワーを有する、請求項４に記載のインナーフォーカスレンズ系。
【請求項７】
像のぶれを光学的に補正するために光軸に対して垂直方向に移動する像ぶれ補正レンズ群を備え、
以下の条件（４）を満足する、請求項１に記載のインナーフォーカスレンズ系：
０．２＜｜ｆＯＩＳ／ｆ｜＜２．０  ・・・（４）
ここで、
ｆＯＩＳ：像ぶれ補正レンズ群の焦点距離、
ｆ：全系の焦点距離
である。
【請求項８】
無限遠合焦状態から近接物体合焦状態へのフォーカシングの際に光軸に沿って移動するフォーカシングレンズ群を少なくとも１つ備え、
前記少なくとも１つのフォーカシングレンズ群が、以下の条件（５）を満足する、請求項１に記載のインナーフォーカスレンズ系：
ｎｄＬＦ＜１．８０  ・・・（５）
ここで、
ｎｄＬＦ：フォーカシングレンズ群を構成するレンズ素子のｄ線に対する屈折率の平均値
である。
【請求項９】
以下の条件（６）を満足する、請求項１に記載のインナーフォーカスレンズ系：
ｎｄＬ１＞１．６５  ・・・（６）
ここで、
ｎｄＬ１：レンズ系の最物体側に配置されたレンズ素子のｄ線に対する屈折率
である。
【請求項１０】
無限遠合焦状態から近接物体合焦状態へのフォーカシングの際に光軸に沿って移動するフォーカシングレンズ群を少なくとも１つ備え、
前記少なくとも１つのフォーカシングレンズ群が、以下の条件（７）を満足する、請求項１に記載のインナーフォーカスレンズ系：
ＴＨＦ／ｆ＜０．０３５  ・・・（７）
ここで、
ＴＨＦ：全フォーカシングレンズ群のうち負のパワーを有するフォーカシングレンズ群の光軸上での厚みの平均値、
ｆ：全系の焦点距離
である。
【請求項１１】
無限遠合焦状態から近接物体合焦状態へのフォーカシングの際に光軸に沿って移動するフォーカシングレンズ群として、物体側から像側へと順に、少なくとも第１フォーカシングレンズ群及び第２フォーカシングレンズ群を備え、
像のぶれを光学的に補正するために光軸に対して垂直方向に移動する像ぶれ補正レンズ群を備えており、
前記第１フォーカシングレンズ群が、前記像ぶれ補正レンズ群よりも物体側に位置する、請求項１に記載のインナーフォーカスレンズ系。
【請求項１２】
請求項１に記載のインナーフォーカスレンズ系と、
前記インナーフォーカスレンズ系が形成する光学像を受光して電気的な画像信号に変換する撮像素子を含むカメラ本体との接続が可能なレンズマウント部と
を備える、交換レンズ装置。
【請求項１３】
請求項１に記載のインナーフォーカスレンズ系を含む交換レンズ装置と、
前記交換レンズ装置とカメラマウント部を介して着脱可能に接続され、前記インナーフォーカスレンズ系が形成する光学像を受光して電気的な画像信号に変換する撮像素子を含むカメラ本体と
を備える、カメラシステム。
【発明の詳細な説明】
【技術分野】
【０００１】
本開示は、インナーフォーカスレンズ系、交換レンズ装置及びカメラシステムに関する。
【背景技術】
【０００２】
光電変換を行う撮像素子を持つ交換レンズ装置やカメラシステム等に対するコンパクト化及び高性能化の要求は極めて高く、このような交換レンズ装置やカメラシステムに用いるレンズ系が種々提案されている。
【０００３】
特許文献１は、無限遠合焦状態から近接物体合焦状態へのフォーカシングの際に、像面に対して固定の正の屈折力を有する第１レンズ群と、光軸に沿って移動する第２レンズ群と、像面に対して固定の正の屈折力を有する第３レンズ群とを備えたインナーフォーカスレンズ系を開示している。
【０００４】
特許文献２は、無限遠合焦状態から近接物体合焦状態へのフォーカシングの際に、像面に対して固定の正の屈折力を有する第１レンズ群と、光軸に沿って移動する第２レンズ群と、像面に対して固定の第３レンズ群とを備えたインナーフォーカスレンズ系を開示している。
【先行技術文献】
【特許文献】
【０００５】
【特許文献１】特開２０１２−０２７３４９号公報
【特許文献２】特開２０１２−１８９６７９号公報
【発明の概要】
【発明が解決しようとする課題】
【０００６】
本開示は、小型でありながら、諸収差の発生が充分に抑制され、解像度が高く高性能なインナーフォーカスレンズ系を提供する。また本開示は、該インナーフォーカスレンズ系を含む交換レンズ装置及び該交換レンズ装置を備えたカメラシステムを提供する。
【課題を解決するための手段】
【０００７】
本開示におけるインナーフォーカスレンズ系は、
少なくとも１枚のレンズ素子で構成されたレンズ群を有し、
最物体側に配置された最物体側レンズ群を備え、
前記最物体側レンズ群が、無限遠合焦状態から近接物体合焦状態へのフォーカシングの際に、像面に対して固定であり、
以下の条件（１）及び（２）：
ＢＦ／Ｙ＜１．７  ・・・（１）
（Ｌ×ＦＮｏ）／ｆ＜２．２  ・・・（２）
（ここで、
ＢＦ：レンズ系の最像側に配置されたレンズ素子の像側面の面頂から、像面までの距離、
Ｙ：次式で表される値
Ｙ＝ｆ×ｔａｎω、
Ｌ：レンズ全長（レンズ系の最物体側に配置されたレンズ素子の物体側面から像面までの光軸上の距離）、
ＦＮｏ：全系のＦナンバー、
ｆ：全系の焦点距離、
ω：全系の半画角
である）
を同時に満足するか、又は、以下の条件（２）’：
（Ｌ×ＦＮｏ）／ｆ＜２．０  ・・・（２）’
（ここで、
Ｌ：レンズ全長（レンズ系の最物体側に配置されたレンズ素子の物体側面から像面までの光軸上の距離）、
ＦＮｏ：全系のＦナンバー、
ｆ：全系の焦点距離
である）
のみを満足する
ことを特徴とする。
【０００８】
本開示における交換レンズ装置は、
少なくとも１枚のレンズ素子で構成されたレンズ群を有し、
最物体側に配置された最物体側レンズ群を備え、
前記最物体側レンズ群が、無限遠合焦状態から近接物体合焦状態へのフォーカシングの際に、像面に対して固定であり、
以下の条件（１）及び（２）：
ＢＦ／Ｙ＜１．７  ・・・（１）
（Ｌ×ＦＮｏ）／ｆ＜２．２  ・・・（２）
（ここで、
ＢＦ：レンズ系の最像側に配置されたレンズ素子の像側面の面頂から、像面までの距離、
Ｙ：次式で表される値
Ｙ＝ｆ×ｔａｎω、
Ｌ：レンズ全長（レンズ系の最物体側に配置されたレンズ素子の物体側面から像面までの光軸上の距離）、
ＦＮｏ：全系のＦナンバー、
ｆ：全系の焦点距離、
ω：全系の半画角
である）
を同時に満足するか、又は、以下の条件（２）’：
（Ｌ×ＦＮｏ）／ｆ＜２．０  ・・・（２）’
（ここで、
Ｌ：レンズ全長（レンズ系の最物体側に配置されたレンズ素子の物体側面から像面までの光軸上の距離）、
ＦＮｏ：全系のＦナンバー、
ｆ：全系の焦点距離
である）
のみを満足するインナーフォーカスレンズ系と、
前記インナーフォーカスレンズ系が形成する光学像を受光して電気的な画像信号に変換する撮像素子を含むカメラ本体との接続が可能なレンズマウント部と
を備える
ことを特徴とする。
【０００９】
本開示におけるカメラシステムは、
少なくとも１枚のレンズ素子で構成されたレンズ群を有し、
最物体側に配置された最物体側レンズ群を備え、
前記最物体側レンズ群が、無限遠合焦状態から近接物体合焦状態へのフォーカシングの際に、像面に対して固定であり、
以下の条件（１）及び（２）：
ＢＦ／Ｙ＜１．７  ・・・（１）
（Ｌ×ＦＮｏ）／ｆ＜２．２  ・・・（２）
（ここで、
ＢＦ：レンズ系の最像側に配置されたレンズ素子の像側面の面頂から、像面までの距離、
Ｙ：次式で表される値
Ｙ＝ｆ×ｔａｎω、
Ｌ：レンズ全長（レンズ系の最物体側に配置されたレンズ素子の物体側面から像面までの光軸上の距離）、
ＦＮｏ：全系のＦナンバー、
ｆ：全系の焦点距離、
ω：全系の半画角
である）
を同時に満足するか、又は、以下の条件（２）’：
（Ｌ×ＦＮｏ）／ｆ＜２．０  ・・・（２）’
（ここで、
Ｌ：レンズ全長（レンズ系の最物体側に配置されたレンズ素子の物体側面から像面までの光軸上の距離）、
ＦＮｏ：全系のＦナンバー、
ｆ：全系の焦点距離
である）
のみを満足するインナーフォーカスレンズ系、を含む交換レンズ装置と、
前記交換レンズ装置とカメラマウント部を介して着脱可能に接続され、前記インナーフォーカスレンズ系が形成する光学像を受光して電気的な画像信号に変換する撮像素子を含むカメラ本体と
を備える
ことを特徴とする。
【発明の効果】
【００１０】
本開示におけるインナーフォーカスレンズ系は、小型でありながら、諸収差の発生が充分に抑制され、解像度が高く高性能である。
【図面の簡単な説明】
【００１１】
【図１】実施の形態１（数値実施例１）に係るインナーフォーカスレンズ系の無限遠合焦状態を示すレンズ配置図
【図２】数値実施例１に係るインナーフォーカスレンズ系の無限遠合焦状態の縦収差図
【図３】数値実施例１に係るインナーフォーカスレンズ系の無限遠合焦状態における、像ぶれ補正を行っていない基本状態及び像ぶれ補正状態での横収差図
【図４】実施の形態２（数値実施例２）に係るインナーフォーカスレンズ系の無限遠合焦状態を示すレンズ配置図
【図５】数値実施例２に係るインナーフォーカスレンズ系の無限遠合焦状態の縦収差図
【図６】数値実施例２に係るインナーフォーカスレンズ系の無限遠合焦状態における、像ぶれ補正を行っていない基本状態及び像ぶれ補正状態での横収差図
【図７】実施の形態３（数値実施例３）に係るインナーフォーカスレンズ系の無限遠合焦状態を示すレンズ配置図
【図８】数値実施例３に係るインナーフォーカスレンズ系の無限遠合焦状態の縦収差図
【図９】数値実施例３に係るインナーフォーカスレンズ系の無限遠合焦状態における、像ぶれ補正を行っていない基本状態及び像ぶれ補正状態での横収差図
【図１０】実施の形態４（数値実施例４）に係るインナーフォーカスレンズ系の無限遠合焦状態を示すレンズ配置図
【図１１】数値実施例４に係るインナーフォーカスレンズ系の無限遠合焦状態の縦収差図
【図１２】数値実施例４に係るインナーフォーカスレンズ系の無限遠合焦状態における、像ぶれ補正を行っていない基本状態及び像ぶれ補正状態での横収差図
【図１３】実施の形態５（数値実施例５）に係るインナーフォーカスレンズ系の無限遠合焦状態を示すレンズ配置図
【図１４】数値実施例５に係るインナーフォーカスレンズ系の無限遠合焦状態の縦収差図
【図１５】数値実施例５に係るインナーフォーカスレンズ系の無限遠合焦状態における、像ぶれ補正を行っていない基本状態及び像ぶれ補正状態での横収差図
【図１６】実施の形態６（数値実施例６）に係るインナーフォーカスレンズ系の無限遠合焦状態を示すレンズ配置図
【図１７】数値実施例６に係るインナーフォーカスレンズ系の無限遠合焦状態の縦収差図
【図１８】数値実施例６に係るインナーフォーカスレンズ系の無限遠合焦状態における、像ぶれ補正を行っていない基本状態及び像ぶれ補正状態での横収差図
【図１９】実施の形態７（数値実施例７）に係るインナーフォーカスレンズ系の無限遠合焦状態を示すレンズ配置図
【図２０】数値実施例７に係るインナーフォーカスレンズ系の無限遠合焦状態の縦収差図
【図２１】数値実施例７に係るインナーフォーカスレンズ系の無限遠合焦状態における、像ぶれ補正を行っていない基本状態及び像ぶれ補正状態での横収差図
【図２２】実施の形態８に係るレンズ交換式デジタルカメラシステムの概略構成図
【発明を実施するための形態】
【００１２】
以下、適宜図面を参照しながら、実施の形態を詳細に説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１３】
なお、発明者らは、当業者が本開示を充分に理解するために添付図面および以下の説明を提供するのであって、これらによって請求の範囲に記載の主題を限定することを意図するものではない。
【００１４】
（実施の形態１〜７）
図１、４、７、１０、１３、１６及び１９は、各々実施の形態１〜７に係るインナーフォーカスレンズ系のレンズ配置図であり、いずれも無限遠合焦状態にあるインナーフォーカスレンズ系を表している。
【００１５】
各図において、レンズ群に付された光軸と平行な矢印は、無限遠合焦状態から近接物体合焦状態へのフォーカシングの際のレンズ群の移動方向を表す。また各図において、レンズ群に付された光軸と垂直な矢印は、そのレンズ群が像のぶれを光学的に補正するために光軸に対して垂直方向に移動する像ぶれ補正レンズ群であることを示す。
【００１６】
各図において、特定の面に付されたアスタリスク＊は、該面が非球面であることを示している。また各図において、各レンズ群の符号に付された記号（＋）及び記号（−）は、各レンズ群のパワーの符号に対応する。また各図において、最も右側に記載された直線は、像面Ｓの位置を表す。
【００１７】
（実施の形態１）
図１に示すように、正のパワーを有する第１レンズ群Ｇ１は、物体側から像側へと順に、物体側に凸面を向けた正メニスカス形状の第１レンズ素子Ｌ１と、物体側に凸面を向けた正メニスカス形状の第２レンズ素子Ｌ２と、物体側に凸面を向けた負メニスカス形状の第３レンズ素子Ｌ３と、物体側に凸面を向けた正メニスカス形状の第４レンズ素子Ｌ４とからなる。これらのうち、第３レンズ素子Ｌ３と第４レンズ素子Ｌ４とが接合されている。第４レンズ素子Ｌ４は、その像側面が非球面である。なお、第１レンズ群Ｇ１において、第４レンズ素子Ｌ４の像側には、開口絞りＡが配置されている。
【００１８】
負のパワーを有する第２レンズ群Ｇ２は、物体側に凸面を向けた負メニスカス形状の第５レンズ素子Ｌ５のみからなる。
【００１９】
正のパワーを有する第３レンズ群Ｇ３は、物体側から像側へと順に、両凸形状の第６レンズ素子Ｌ６と、両凹形状の第７レンズ素子Ｌ７と、像側に凸面を向けた正メニスカス形状の第８レンズ素子Ｌ８とからなる。第６レンズ素子Ｌ６は、その両面が非球面であり、第８レンズ素子Ｌ８は、その両面が非球面である。
【００２０】
正のパワーを有する第４レンズ群Ｇ４は、物体側に凸面を向けた正メニスカス形状の第９レンズ素子Ｌ９のみからなる。
【００２１】
負のパワーを有する第５レンズ群Ｇ５は、像側に凸面を向けた負メニスカス形状の第１０レンズ素子Ｌ１０のみからなる。
【００２２】
実施の形態１に係るインナーフォーカスレンズ系において、無限遠合焦状態から近接物体合焦状態へのフォーカシングの際に、第２レンズ群Ｇ２が光軸に沿って像側へ移動し、第４レンズ群Ｇ４が光軸に沿って物体側へ移動する。
【００２３】
また、第３レンズ群Ｇ３の一部である第６レンズ素子Ｌ６を光軸に直交する方向に移動させることによって、全系の振動による像点移動を補正する、すなわち、手ぶれ、振動等による像のぶれを光学的に補正することができる。
【００２４】
（実施の形態２）
図４に示すように、正のパワーを有する第１レンズ群Ｇ１は、物体側から像側へと順に、物体側に凸面を向けた正メニスカス形状の第１レンズ素子Ｌ１と、物体側に凸面を向けた正メニスカス形状の第２レンズ素子Ｌ２と、両凹形状の第３レンズ素子Ｌ３と、物体側に凸面を向けた負メニスカス形状の第４レンズ素子Ｌ４と、物体側に凸面を向けた正メニスカス形状の第５レンズ素子Ｌ５とからなる。これらのうち、第４レンズ素子Ｌ４と第５レンズ素子Ｌ５とが接合されている。第５レンズ素子Ｌ５は、その像側面が非球面である。なお、第１レンズ群Ｇ１において、第５レンズ素子Ｌ５の像側には、開口絞りＡが配置されている。
【００２５】
負のパワーを有する第２レンズ群Ｇ２は、物体側に凸面を向けた負メニスカス形状の第６レンズ素子Ｌ６のみからなる。
【００２６】
正のパワーを有する第３レンズ群Ｇ３は、物体側から像側へと順に、物体側に凸面を向けた正メニスカス形状の第７レンズ素子Ｌ７と、物体側に凸面を向けた負メニスカス形状の第８レンズ素子Ｌ８と、物体側に凸面を向けた正メニスカス形状の第９レンズ素子Ｌ９とからなる。第７レンズ素子Ｌ７は、その物体側面が非球面であり、第９レンズ素子Ｌ９は、その両面が非球面である。
【００２７】
正のパワーを有する第４レンズ群Ｇ４は、両凸形状の第１０レンズ素子Ｌ１０のみからなる。
【００２８】
負のパワーを有する第５レンズ群Ｇ５は、像側に凸面を向けた負メニスカス形状の第１１レンズ素子Ｌ１１のみからなる。
【００２９】
実施の形態２に係るインナーフォーカスレンズ系において、無限遠合焦状態から近接物体合焦状態へのフォーカシングの際に、第２レンズ群Ｇ２が光軸に沿って像側へ移動し、第４レンズ群Ｇ４が光軸に沿って物体側へ移動する。
【００３０】
また、第３レンズ群Ｇ３の一部である第７レンズ素子Ｌ７を光軸に直交する方向に移動させることによって、全系の振動による像点移動を補正する、すなわち、手ぶれ、振動等による像のぶれを光学的に補正することができる。
【００３１】
（実施の形態３）
図７に示すように、正のパワーを有する第１レンズ群Ｇ１は、物体側から像側へと順に、物体側に凸面を向けた正メニスカス形状の第１レンズ素子Ｌ１と、物体側に凸面を向けた正メニスカス形状の第２レンズ素子Ｌ２と、物体側に凸面を向けた正メニスカス形状の第３レンズ素子Ｌ３と、両凹形状の第４レンズ素子Ｌ４と、両凸形状の第５レンズ素子Ｌ５とからなる。これらのうち、第２レンズ素子Ｌ２と第３レンズ素子Ｌ３とが接合されており、第４レンズ素子Ｌ４と第５レンズ素子Ｌ５とが接合されている。第３レンズ素子Ｌ３は、その像側面が非球面である。なお、第１レンズ群Ｇ１において、第５レンズ素子Ｌ５の像側には、開口絞りＡが配置されている。
【００３２】
負のパワーを有する第２レンズ群Ｇ２は、物体側に凸面を向けた負メニスカス形状の第６レンズ素子Ｌ６のみからなる。
【００３３】
正のパワーを有する第３レンズ群Ｇ３は、物体側から像側へと順に、物体側に凸面を向けた正メニスカス形状の第７レンズ素子Ｌ７と、両凹形状の第８レンズ素子Ｌ８とからなる。第７レンズ素子Ｌ７は、その両面が非球面である。
【００３４】
正のパワーを有する第４レンズ群Ｇ４は、両凸形状の第９レンズ素子Ｌ９のみからなる。第９レンズ素子Ｌ９は、その物体側面が非球面である。
【００３５】
正のパワーを有する第５レンズ群Ｇ５は、物体側に凸面を向けた正メニスカス形状の第１０レンズ素子Ｌ１０のみからなる。
【００３６】
負のパワーを有する第６レンズ群Ｇ６は、両凹形状の第１１レンズ素子Ｌ１１のみからなる。
【００３７】
実施の形態３に係るインナーフォーカスレンズ系において、無限遠合焦状態から近接物体合焦状態へのフォーカシングの際に、第２レンズ群Ｇ２及び第４レンズ群Ｇ４が光軸に沿って像側へ移動し、第５レンズ群Ｇ５が光軸に沿って物体側へ移動する。
【００３８】
また、第３レンズ群Ｇ３の一部である第７レンズ素子Ｌ７を光軸に直交する方向に移動させることによって、全系の振動による像点移動を補正する、すなわち、手ぶれ、振動等による像のぶれを光学的に補正することができる。
【００３９】
（実施の形態４）
図１０に示すように、正のパワーを有する第１レンズ群Ｇ１は、物体側から像側へと順に、物体側に凸面を向けた正メニスカス形状の第１レンズ素子Ｌ１と、両凸形状の第２レンズ素子Ｌ２と、両凹形状の第３レンズ素子Ｌ３と、物体側に凸面を向けた正メニスカス形状の第４レンズ素子Ｌ４とからなる。これらのうち、第２レンズ素子Ｌ２と第３レンズ素子Ｌ３とが接合されている。第４レンズ素子Ｌ４は、その物体側面が非球面である。
【００４０】
負のパワーを有する第２レンズ群Ｇ２は、物体側に凸面を向けた負メニスカス形状の第５レンズ素子Ｌ５のみからなる。なお、第２レンズ群Ｇ２において、第５レンズ素子Ｌ５の像側には、開口絞りＡが配置されている。
【００４１】
正のパワーを有する第３レンズ群Ｇ３は、両凸形状の第６レンズ素子Ｌ６のみからなる。
【００４２】
負のパワーを有する第４レンズ群Ｇ４は、物体側から像側へと順に、両凹形状の第７レンズ素子Ｌ７と、物体側に凸面を向けた正メニスカス形状の第８レンズ素子Ｌ８と、両凸形状の第９レンズ素子Ｌ９と、像側に凸面を向けた負メニスカス形状の第１０レンズ素子Ｌ１０とからなる。第７レンズ素子Ｌ７は、その両面が非球面であり、第９レンズ素子Ｌ９は、その両面が非球面である。
【００４３】
実施の形態４に係るインナーフォーカスレンズ系において、無限遠合焦状態から近接物体合焦状態へのフォーカシングの際に、第２レンズ群Ｇ２が光軸に沿って像側へ移動し、第３レンズ群Ｇ３が光軸に沿って物体側へ移動する。
【００４４】
また、第４レンズ群Ｇ４の一部である第７レンズ素子Ｌ７を光軸に直交する方向に移動させることによって、全系の振動による像点移動を補正する、すなわち、手ぶれ、振動等による像のぶれを光学的に補正することができる。
【００４５】
（実施の形態５）
図１３に示すように、正のパワーを有する第１レンズ群Ｇ１は、物体側から像側へと順に、物体側に凸面を向けた正メニスカス形状の第１レンズ素子Ｌ１と、物体側に凸面を向けた負メニスカス形状の第２レンズ素子Ｌ２と、物体側に凸面を向けた正メニスカス形状の第３レンズ素子Ｌ３とからなる。これらのうち、第２レンズ素子Ｌ２と第３レンズ素子Ｌ３とが接合されている。第３レンズ素子Ｌ３は、その像側面が非球面である。なお、第１レンズ群Ｇ１において、第３レンズ素子Ｌ３の像側には、開口絞りＡが配置されている。
【００４６】
負のパワーを有する第２レンズ群Ｇ２は、物体側に凸面を向けた負メニスカス形状の第４レンズ素子Ｌ４のみからなる。
【００４７】
正のパワーを有する第３レンズ群Ｇ３は、物体側に凸面を向けた正メニスカス形状の第５レンズ素子Ｌ５のみからなる。第５レンズ素子Ｌ５は、その両面が非球面である。
【００４８】
負のパワーを有する第４レンズ群Ｇ４は、両凹形状の第６レンズ素子Ｌ６のみからなる。第６レンズ素子Ｌ６は、その像側面が非球面である。
【００４９】
正のパワーを有する第５レンズ群Ｇ５は、物体側から像側へと順に、物体側に凸面を向けた正メニスカス形状の第７レンズ素子Ｌ７と、両凸形状の第８レンズ素子Ｌ８と、像側に凸面を向けた負メニスカス形状の第９レンズ素子Ｌ９とからなる。
【００５０】
実施の形態５に係るインナーフォーカスレンズ系において、無限遠合焦状態から近接物体合焦状態へのフォーカシングの際に、第２レンズ群Ｇ２及び第４レンズ群Ｇ４が光軸に沿って像側へ移動する。
【００５１】
また、第３レンズ群Ｇ３、すなわち第５レンズ素子Ｌ５を光軸に直交する方向に移動させることによって、全系の振動による像点移動を補正する、すなわち、手ぶれ、振動等による像のぶれを光学的に補正することができる。
【００５２】
（実施の形態６）
図１６に示すように、正のパワーを有する第１レンズ群Ｇ１は、物体側から像側へと順に、物体側に凸面を向けた正メニスカス形状の第１レンズ素子Ｌ１と、物体側に凸面を向けた正メニスカス形状の第２レンズ素子Ｌ２と、物体側に凸面を向けた負メニスカス形状の第３レンズ素子Ｌ３と、物体側に凸面を向けた正メニスカス形状の第４レンズ素子Ｌ４とからなる。これらのうち、第３レンズ素子Ｌ３と第４レンズ素子Ｌ４とが接合されている。第４レンズ素子Ｌ４は、その像側面が非球面である。なお、第１レンズ群Ｇ１において、第４レンズ素子Ｌ４の像側には、開口絞りＡが配置されている。
【００５３】
負のパワーを有する第２レンズ群Ｇ２は、物体側に凸面を向けた負メニスカス形状の第５レンズ素子Ｌ５のみからなる。
【００５４】
正のパワーを有する第３レンズ群Ｇ３は、両凸形状の第６レンズ素子Ｌ６のみからなる。
【００５５】
負のパワーを有する第４レンズ群Ｇ４は、両凹形状の第７レンズ素子Ｌ７のみからなる。
【００５６】
正のパワーを有する第５レンズ群Ｇ５は、物体側から像側へと順に、両凸形状の第８レンズ素子Ｌ８と、両凹形状の第９レンズ素子Ｌ９とからなる。
【００５７】
実施の形態６に係るインナーフォーカスレンズ系において、無限遠合焦状態から近接物体合焦状態へのフォーカシングの際に、第２レンズ群Ｇ２及び第４レンズ群Ｇ４が光軸に沿って像側へ移動する。
【００５８】
また、第３レンズ群Ｇ３、すなわち第６レンズ素子Ｌ６を光軸に直交する方向に移動させることによって、全系の振動による像点移動を補正する、すなわち、手ぶれ、振動等による像のぶれを光学的に補正することができる。
【００５９】
（実施の形態７）
図１９に示すように、正のパワーを有する第１レンズ群Ｇ１は、物体側から像側へと順に、両凸形状の第１レンズ素子Ｌ１と、物体側に凸面を向けた負メニスカス形状の第２レンズ素子Ｌ２と、両凹形状の第３レンズ素子Ｌ３と、両凸形状の第４レンズ素子Ｌ４とからなる。これらのうち、第３レンズ素子Ｌ３と第４レンズ素子Ｌ４とが接合されている。第４レンズ素子Ｌ４は、その像側面が非球面である。なお、第１レンズ群Ｇ１において、第４レンズ素子Ｌ４の像側には、開口絞りＡが配置されている。
【００６０】
負のパワーを有する第２レンズ群Ｇ２は、両凹形状の第５レンズ素子Ｌ５のみからなる。
【００６１】
正のパワーを有する第３レンズ群Ｇ３は、物体側から像側へと順に、両凸形状の第６レンズ素子Ｌ６と、両凹形状の第７レンズ素子Ｌ７と、像側に凸面を向けた正メニスカス形状の第８レンズ素子Ｌ８と、両凸形状の第９レンズ素子Ｌ９と、両凹形状の第１０レンズ素子Ｌ１０と、物体側に凸面を向けた正メニスカス形状の第１１レンズ素子Ｌ１１とからなる。これらのうち、第９レンズ素子Ｌ９と第１０レンズ素子Ｌ１０と第１１レンズ素子Ｌ１１とが接合されている。第６レンズ素子Ｌ６は、その両面が非球面である。
【００６２】
実施の形態７に係るインナーフォーカスレンズ系において、無限遠合焦状態から近接物体合焦状態へのフォーカシングの際に、第２レンズ群Ｇ２が光軸に沿って像側へ移動する。
【００６３】
また、第３レンズ群Ｇ３の一部である第６レンズ素子Ｌ６を光軸に直交する方向に移動させることによって、全系の振動による像点移動を補正する、すなわち、手ぶれ、振動等による像のぶれを光学的に補正することができる。
【００６４】
実施の形態１〜７に係るインナーフォーカスレンズ系では、第１レンズ群Ｇ１が、無限遠合焦状態から近接物体合焦状態へのフォーカシングの際に像面Ｓに対して固定であるので、フォーカシングに伴う球面収差の変動が少なく、優れた結像特性を維持してフォーカシングを行うことができる。
【００６５】
実施の形態１〜７に係るインナーフォーカスレンズ系では、レンズ系の最像側に配置されたレンズ素子、及び、レンズ系の最像側から２番目に配置されたレンズ素子の少なくとも１つが、負のパワーを有するので、バックフォーカスを短くすることができ、レンズ系の全長を短縮することができる。
【００６６】
実施の形態１〜７に係るインナーフォーカスレンズ系は、最像側に配置された最像側レンズ群が、無限遠合焦状態から近接物体合焦状態へのフォーカシングの際に像面Ｓに対して固定であるように構成されるので、製造時の偏心による収差変動を小さく抑えることができる。
【００６７】
実施の形態１〜６に係るインナーフォーカスレンズ系は、無限遠合焦状態から近接物体合焦状態へのフォーカシングの際に光軸に沿って移動するフォーカシングレンズ群を少なくとも２つ備えているので、フォーカシングに伴う球面収差の発生を、複数のフォーカシングレンズ群で補正し合い、優れた結像特性を維持してフォーカシングを行うことができる。
【００６８】
実施の形態１〜６に係るインナーフォーカスレンズ系では、前記複数のフォーカシングレンズ群の少なくとも１つが単レンズ素子であり、また、実施の形態７に係るインナーフォーカスレンズ系では、１つのフォーカシングレンズ群が単レンズ素子であるので、高速かつ静音なフォーカシングを行うことができる。
【００６９】
実施の形態１〜６に係るインナーフォーカスレンズ系では、前記複数のフォーカシングレンズ群の少なくとも１つが負のパワーを有し、また、実施の形態７に係るインナーフォーカスレンズ系では、１つのフォーカシングレンズ群が負のパワーを有するので、フォーカシングに伴う倍率色収差の変動を抑えることができる。
【００７０】
実施の形態１〜７に係るインナーフォーカスレンズ系は、像のぶれを光学的に補正するために光軸に対して垂直方向に移動する像ぶれ補正レンズ群を備えており、該像ぶれ補正レンズ群が、１枚のレンズ素子で構成されているので、像ぶれ補正レンズ群を光軸に対して垂直方向に移動させるためのアクチュエータが大型化することがなく、レンズ系の小型化が実現される。また、像ぶれ補正に伴う偏心コマ収差の発生を抑えることができる。
【００７１】
実施の形態１〜６に係るインナーフォーカスレンズ系では、無限遠合焦状態から近接物体合焦状態へのフォーカシングの際に光軸に沿って移動するフォーカシングレンズ群を少なくとも２つ備え、像のぶれを光学的に補正するために光軸に対して垂直方向に移動する像ぶれ補正レンズ群も備え、複数のフォーカシングレンズ群の少なくとも１つが、像ぶれ補正レンズ群よりも物体側に位置しており、実施の形態７に係るインナーフォーカスレンズ系では、フォーカシングレンズ群及び像ぶれ補正レンズ群を備え、フォーカシングレンズ群が、像ぶれ補正レンズ群よりも物体側に位置している。したがって、実施の形態１〜７に係るインナーフォーカスレンズ系では、像ぶれ補正レンズ群の光束径が大きくなって、レンズ重量が大きくなることがないので、像ぶれ補正レンズ群を光軸に対して垂直方向に移動させるためのアクチュエータが大型化することがなく、レンズ系の小型化が実現される。また、像ぶれ補正に伴う偏心コマ収差の発生を抑えることができる。
【００７２】
実施の形態１〜２及び５〜７に係るインナーフォーカスレンズ系では、開口絞りＡのすぐ物体側に、非球面を有するレンズ素子が配置されているので、開口絞りＡよりも物体側で発生する球面収差を小さくすることができる。
【００７３】
以上のように、本出願において開示する技術の例示として、実施の形態１〜７を説明した。しかしながら、本開示における技術は、これに限定されず、適宜、変更、置き換え、付加、省略などを行った実施の形態にも適用可能である。
【００７４】
以下、例えば実施の形態１〜７に係るインナーフォーカスレンズ系のごときインナーフォーカスレンズ系が満足することが可能な条件を説明する。なお、各実施の形態に係るインナーフォーカスレンズ系に対して、複数の可能な条件が規定されるが、これら複数の条件すべてを満足するインナーフォーカスレンズ系の構成が最も効果的である。しかしながら、個別の条件を満足することにより、それぞれ対応する効果を奏するインナーフォーカスレンズ系を得ることも可能である。
【００７５】
例えば実施の形態１〜７に係るインナーフォーカスレンズ系のように、少なくとも１枚のレンズ素子で構成されたレンズ群を有し、最物体側に配置された最物体側レンズ群を備え、前記最物体側レンズ群が、無限遠合焦状態から近接物体合焦状態へのフォーカシングの際に、像面に対して固定である（以下、このレンズ構成を、実施の形態の基本構成という）インナーフォーカスレンズ系は、以下の条件（１）及び（２）を同時に満足するか、又は、以下の条件（２）’のみを満足する。
ＢＦ／Ｙ＜１．７  ・・・（１）
（Ｌ×ＦＮｏ）／ｆ＜２．２  ・・・（２）
（Ｌ×ＦＮｏ）／ｆ＜２．０  ・・・（２）’
ここで、
ＢＦ：レンズ系の最像側に配置されたレンズ素子の像側面の面頂から、像面までの距離、
Ｙ：次式で表される値
Ｙ＝ｆ×ｔａｎω、
Ｌ：レンズ全長（レンズ系の最物体側に配置されたレンズ素子の物体側面から像面までの光軸上の距離）、
ＦＮｏ：全系のＦナンバー、
ｆ：全系の焦点距離、
ω：全系の半画角
である。
【００７６】
前記条件（１）は、最大像高に対する、レンズ系のバックフォーカスの長さの比を規定する条件である。条件（１）を満足しない場合は、最大像高に対してバックフォーカスが長くなり、レンズ系の小型化が困難となる。
【００７７】
前記条件（２）及び（２）’は、レンズ全系の焦点距離に対する、レンズ全長及びレンズ全系のＦナンバーの比を規定する条件である。条件（２）を満足しない場合及び条件（２）’を満足しない場合は、Ｆナンバーが小さく明るいレンズ系において、焦点距離に対するレンズ全長の比（望遠比）を小さくすることができず、レンズ系の小型化が困難となる。
【００７８】
さらに以下の条件（１）’及び（２）’を同時に満足するか、又は、以下の条件（２）’’のみを満足することにより、前記効果をさらに奏功させることができる。
ＢＦ／Ｙ＜１．６  ・・・（１）’
（Ｌ×ＦＮｏ）／ｆ＜２．０  ・・・（２）’
（Ｌ×ＦＮｏ）／ｆ＜１．９  ・・・（２）’’
【００７９】
例えば実施の形態１〜７に係るインナーフォーカスレンズ系のように、基本構成を有するインナーフォーカスレンズ系は、以下の条件（３）を満足することが有益である。
０．２＜Ｄａｉｒ／Ｙ＜１．５  ・・・（３）
ここで、
Ｄａｉｒ：無限遠合焦状態におけるレンズ系を構成するレンズ素子間の空気間隔のうち最大値、
Ｙ：次式で表される値
Ｙ＝ｆ×ｔａｎω、
ｆ：全系の焦点距離、
ω：全系の半画角
である。
【００８０】
前記条件（３）は、最大像高に対する、無限遠合焦状態におけるレンズ系を構成するレンズ素子間の空気間隔のうち最大値の比を規定する条件である。条件（３）の下限を下回ると、レンズ系を構成する空気間隔が小さくなり、球面収差の補正が困難となる。また、レンズ素子間隔の誤差に対する性能劣化の度合いが大きくなるため、光学系の組み立てが困難となる。条件（３）の上限を上回ると、レンズ系を構成する空気間隔が大きくなり、レンズ系の小型化が困難となる。
【００８１】
さらに以下の条件（３）’及び（３）’’の少なくとも１つを満足することにより、前記効果をさらに奏功させることができる。
０．３＜Ｄａｉｒ／Ｙ  ・・・（３）’
Ｄａｉｒ／Ｙ＜１．２  ・・・（３）’’
【００８２】
例えば実施の形態１〜７に係るインナーフォーカスレンズ系のように、基本構成を有し、像のぶれを光学的に補正するために光軸に対して垂直方向に移動する像ぶれ補正レンズ群を備えるインナーフォーカスレンズ系は、以下の条件（４）を満足することが有益である。
０．２＜｜ｆＯＩＳ／ｆ｜＜２．０  ・・・（４）
ここで、
ｆＯＩＳ：像ぶれ補正レンズ群の焦点距離、
ｆ：全系の焦点距離
である。
【００８３】
前記条件（４）は、レンズ全系の焦点距離に対する、像ぶれ補正レンズ群の焦点距離の比を規定する条件である。条件（４）の下限を下回ると、像ぶれ補正レンズ群のパワーが強くなりすぎ、像ぶれ補正に伴う偏心コマ収差の発生を抑制することが困難となる。条件（４）の上限を上回ると、像ぶれ補正レンズ群のパワーが弱くなりすぎ、像ぶれ補正時の像ぶれ補正レンズ群の垂直方向への移動量が大きくなり、レンズ系の小型化が困難となる。
【００８４】
さらに以下の条件（４）’及び（４）’’の少なくとも１つを満足することにより、前記効果をさらに奏功させることができる。
０．３＜｜ｆＯＩＳ／ｆ｜  ・・・（４）’
｜ｆＯＩＳ／ｆ｜＜１．５  ・・・（４）’’
【００８５】
例えば実施の形態１〜７に係るインナーフォーカスレンズ系のように、基本構成を有し、無限遠合焦状態から近接物体合焦状態へのフォーカシングの際に光軸に沿って移動するフォーカシングレンズ群を少なくとも１つ備えるインナーフォーカスレンズ系は、以下の条件（５）を満足することが有益である。
ｎｄＬＦ＜１．８０  ・・・（５）
ここで、
ｎｄＬＦ：フォーカシングレンズ群を構成するレンズ素子のｄ線に対する屈折率の平均値
である。
【００８６】
前記条件（５）は、フォーカシングレンズ群を構成するレンズ素子の屈折率の平均値を規定する条件である。条件（５）を満足しない場合には、フォーカシングレンズ群を構成するレンズ素子の比重が大きくなり、フォーカシングレンズ群が重くなるため、高速かつ静音なフォーカシングの実現が困難となる。
【００８７】
さらに以下の条件（５）’を満足することにより、前記効果をさらに奏功させることができる。
ｎｄＬＦ＜１．７５  ・・・（５）’
【００８８】
例えば実施の形態１〜７に係るインナーフォーカスレンズ系のように、基本構成を有するインナーフォーカスレンズ系は、以下の条件（６）を満足することが有益である。
ｎｄＬ１＞１．６５  ・・・（６）
ここで、
ｎｄＬ１：レンズ系の最物体側に配置されたレンズ素子のｄ線に対する屈折率
である。
【００８９】
前記条件（６）は、レンズ系の最物体側に配置されたレンズ素子、すなわち第１レンズ素子の屈折率を規定する条件である。条件（６）を満足しない場合には、第１レンズ群で発生する球面収差が大きくなり、収差の補正が困難となる。
【００９０】
さらに以下の条件（６）’を満足することにより、前記効果をさらに奏功させることができる。
ｎｄＬ１＞１．７０  ・・・（６）’
【００９１】
例えば実施の形態１〜７に係るインナーフォーカスレンズ系のように、基本構成を有し、無限遠合焦状態から近接物体合焦状態へのフォーカシングの際に光軸に沿って移動するフォーカシングレンズ群を少なくとも１つ備えるインナーフォーカスレンズ系は、以下の条件（７）を満足することが有益である。
ＴＨＦ／ｆ＜０．０３５  ・・・（７）
ここで、
ＴＨＦ：全フォーカシングレンズ群のうち負のパワーを有するフォーカシングレンズ群の光軸上での厚みの平均値、
ｆ：全系の焦点距離
である。
【００９２】
前記条件（７）は、レンズ全系の焦点距離に対する、負のパワーを有するフォーカシングレンズ群の光軸上での厚みの比を規定する条件である。条件（７）を満足しない場合には、負のパワーを有するフォーカシングレンズ群の光軸上での厚みが大きくなりすぎ、フォーカシングに伴う非点収差の変動を抑制することが困難となる。また、負のパワーを有するフォーカシングレンズ群が重くなるため、高速かつ静音なフォーカシングの実現が困難となる。
【００９３】
さらに以下の条件（７）’を満足することにより、前記効果をさらに奏功させることができる。
ＴＨＦ／ｆ＜０．０３０  ・・・（７）’
【００９４】
実施の形態１〜７に係るインナーフォーカスレンズ系を構成している各レンズ群は、入射光線を屈折により偏向させる屈折型レンズ素子（すなわち、異なる屈折率を有する媒質同士の界面で偏向が行われるタイプのレンズ素子）のみで構成されているが、これに限定されるものではない。例えば、回折により入射光線を偏向させる回折型レンズ素子、回折作用と屈折作用との組み合わせで入射光線を偏向させる屈折・回折ハイブリッド型レンズ素子、入射光線を媒質内の屈折率分布により偏向させる屈折率分布型レンズ素子等で、各レンズ群を構成してもよい。特に、屈折・回折ハイブリッド型レンズ素子において、屈折率の異なる媒質の界面に回折構造を形成すると、回折効率の波長依存性が改善される。
【００９５】
また、実施の形態１〜７に係るインナーフォーカスレンズ系を構成している各レンズ素子は、ガラスからなるレンズ素子の片面に紫外線硬化性樹脂からなる透明樹脂層を接合した、ハイブリッドレンズであってもよい。その場合、透明樹脂層のパワーは弱いので、ガラスからなるレンズ素子と透明樹脂層とを合わせて１枚のレンズ素子と考える。同様に、平板に近いレンズ素子が配置される場合も、平板に近いレンズ素子のパワーは弱いので、０枚のレンズ素子と考える。
【００９６】
（実施の形態８）
図２２は、実施の形態８に係るレンズ交換式デジタルカメラシステムの概略構成図である。
【００９７】
本実施の形態８に係るレンズ交換式デジタルカメラシステム１００は、カメラ本体１０１と、カメラ本体１０１に着脱自在に接続される交換レンズ装置２０１とを備える。
【００９８】
カメラ本体１０１は、交換レンズ装置２０１のインナーフォーカスレンズ系２０２によって形成される光学像を受光して、電気的な画像信号に変換する撮像素子１０２と、撮像素子１０２によって変換された画像信号を表示する液晶モニタ１０３と、カメラマウント部１０４とを含む。一方、交換レンズ装置２０１は、実施の形態１〜７いずれかに係るインナーフォーカスレンズ系２０２と、インナーフォーカスレンズ系２０２を保持する鏡筒２０３と、カメラ本体１０１のカメラマウント部１０４に接続されるレンズマウント部２０４とを含む。カメラマウント部１０４及びレンズマウント部２０４は、物理的な接続のみならず、カメラ本体１０１内のコントローラ（図示せず）と交換レンズ装置２０１内のコントローラ（図示せず）とを電気的に接続し、相互の信号のやり取りを可能とするインターフェースとしても機能する。なお、図２２においては、インナーフォーカスレンズ系２０２として実施の形態１に係るインナーフォーカスレンズ系を用いた場合を図示している。
【００９９】
本実施の形態８では、実施の形態１〜７いずれかに係るインナーフォーカスレンズ系２０２を用いているので、コンパクトで結像性能に優れた交換レンズ装置を低コストで実現することができる。また、本実施の形態８に係るカメラシステム１００全体の小型化及び低コスト化も達成することができる。
【０１００】
なお、本実施の形態８に係るレンズ交換式デジタルカメラシステムでは、インナーフォーカスレンズ系２０２として実施の形態１〜７に係るインナーフォーカスレンズ系を示したが、これらのインナーフォーカスレンズ系は、全てのフォーカシング域を使用しなくてもよい。すなわち、所望のフォーカシング域に応じて、光学性能が確保されている範囲を切り出して使用してもよい。
【０１０１】
また、以上説明した実施の形態１〜７に係るインナーフォーカスレンズ系と、ＣＣＤやＣＭＯＳ等の撮像素子とから構成される交換レンズ装置を、デジタルスチルカメラ、デジタルビデオカメラ、スマートフォン等の携帯情報端末のカメラ、監視システムにおける監視カメラ、Ｗｅｂカメラ、車載カメラ等に適用することもできる。
【０１０２】
以上のように、本出願において開示する技術の例示として、実施の形態８を説明した。しかしながら、本開示における技術は、これに限定されず、適宜、変更、置き換え、付加、省略などを行った実施の形態にも適用可能である。
【０１０３】
以下、実施の形態１〜７に係るインナーフォーカスレンズ系を具体的に実施した数値実施例を説明する。なお、各数値実施例において、表中の長さの単位はすべて「ｍｍ」であり、画角の単位はすべて「°」である。また、各数値実施例において、ｒは曲率半径、ｄは面間隔、ｎｄはｄ線に対する屈折率、ｖｄはｄ線に対するアッベ数である。また、各数値実施例において、＊印を付した面は非球面であり、非球面形状は次式で定義している。
【数１】
2014142601.tif 000003
ここで、
Ｚ：光軸からの高さがｈの非球面上の点から、非球面頂点の接平面までの距離、
ｈ：光軸からの高さ、
ｒ：頂点曲率半径、
κ：円錐定数、
Ａｎ：ｎ次の非球面係数
である。
【０１０４】
図２、５、８、１１、１４、１７及び２０は、各々数値実施例１〜７に係るインナーフォーカスレンズ系の無限遠合焦状態の縦収差図である。
【０１０５】
各縦収差図は、左側から順に、球面収差（ＳＡ（ｍｍ））、非点収差（ＡＳＴ（ｍｍ））、歪曲収差（ＤＩＳ（％））を示す。球面収差図において、縦軸はＦナンバー（図中、Ｆで示す）を表し、実線はｄ線（ｄ−ｌｉｎｅ）、短破線はＦ線（Ｆ−ｌｉｎｅ）、長破線はＣ線（Ｃ−ｌｉｎｅ）の特性である。非点収差図において、縦軸は像高（図中、Ｈで示す）を表し、実線はサジタル平面（図中、ｓで示す）、破線はメリディオナル平面（図中、ｍで示す）の特性である。歪曲収差図において、縦軸は像高（図中、Ｈで示す）を表す。
【０１０６】
図３、６、９、１２、１５、１８及び２１は、各々数値実施例１〜７に係るインナーフォーカスレンズ系の無限遠合焦状態における横収差図である。
【０１０７】
各横収差図において、上段３つの収差図は、無限遠合焦状態における像ぶれ補正を行っていない基本状態、下段３つの収差図は、像ぶれ補正レンズ群を光軸と垂直な方向に所定量移動させた無限遠合焦状態における像ぶれ補正状態に、それぞれ対応する。基本状態の各横収差図のうち、上段は最大像高の７０％の像点における横収差、中段は軸上像点における横収差、下段は最大像高の−７０％の像点における横収差に、それぞれ対応する。像ぶれ補正状態の各横収差図のうち、上段は最大像高の７０％の像点における横収差、中段は軸上像点における横収差、下段は最大像高の−７０％の像点における横収差に、それぞれ対応する。また各横収差図において、横軸は瞳面上での主光線からの距離を表し、実線はｄ線（ｄ−ｌｉｎｅ）、短破線はＦ線（Ｆ−ｌｉｎｅ）、長破線はＣ線（Ｃ−ｌｉｎｅ）の特性である。なお各横収差図において、メリディオナル平面を、第１レンズ群Ｇ１の光軸と第３レンズ群Ｇ３の光軸とを含む平面としている。
【０１０８】
なお、各数値実施例のインナーフォーカスレンズ系について、無限遠合焦状態における、像ぶれ補正状態での像ぶれ補正レンズ群の光軸と垂直な方向への移動量は、以下に示すとおりである。
数値実施例１    ０．００６１ｍｍ
数値実施例２    ０．００９３ｍｍ
数値実施例３    ０．００７３ｍｍ
数値実施例４    ０．００７１ｍｍ
数値実施例５    ０．００７３ｍｍ
数値実施例６    ０．００２０ｍｍ
数値実施例７    ０．００８６ｍｍ
【０１０９】
無限遠合焦状態において、インナーフォーカスレンズ系が所定の角度だけ傾いた場合の像偏心量は、像ぶれ補正レンズ群が光軸と垂直な方向に上記の各値だけ平行移動するときの像偏心量に等しい。
【０１１０】
各横収差図から明らかなように、軸上像点における横収差の対称性は良好であることがわかる。また、＋７０％像点における横収差と−７０％像点における横収差とを基本状態で比較すると、いずれも湾曲度が小さく、収差曲線の傾斜がほぼ等しいことから、偏心コマ収差、偏心非点収差が小さいことがわかる。このことは、像ぶれ補正状態であっても充分な結像性能が得られていることを意味している。また、インナーフォーカスレンズ系の像ぶれ補正角が同じ場合には、インナーフォーカスレンズ系全体の焦点距離が短くなるにつれて、像ぶれ補正に必要な平行移動量が減少する。したがって、いずれのフォーカス位置であっても、所定の像ぶれ補正角に対して、結像特性を低下させることなく充分な像ぶれ補正を行うことが可能である。
【０１１１】
（数値実施例１）
数値実施例１のインナーフォーカスレンズ系は、図１に示した実施の形態１に対応する。数値実施例１のインナーフォーカスレンズ系の面データを表１に、非球面データを表２に、各種データを表３に、レンズ群データを表４に示す。
【０１１２】
表  １（面データ）
面番号         r           d           nd         vd                
物面             ∞                                               
1          0.73640     0.04570     1.84666    23.8               
2          1.18620     0.00360                                   
3          0.51850     0.11210     1.71300    53.9               
4          2.45570     0.07180                                   
5          2.62240     0.01820     1.84666    23.8               
6          0.34510     0.09320     1.58699    59.5               
7*         1.98980     0.04370                                   
8(絞り)           ∞     0.02420                                   
9          2.52030     0.01940     1.74330    49.2               
10          0.37780     0.13410                                   
11*         0.53810     0.05610     1.76801    49.2               
12*        -5.64260     0.02940                                   
13         -3.27840     0.05200     1.76182    26.6               
14          0.93750     0.01620                                   
15*      -121.72600     0.04300     1.76801    49.2               
16*        -1.03020     0.05920                                   
17          0.59770     0.04610     1.92286    20.9               
18          2.35130     0.12980                                   
19         -0.28760     0.01450     1.69895    30.0               
20         -0.62910        (BF)                                   
像面             ∞                                               
【０１１３】
表  ２（非球面データ）
第7面
K= 0.00000E+00, A4= 1.89214E+00, A6=-9.00977E-01, A8= 2.07279E+01 
A10= 0.00000E+00 
第11面
K= 0.00000E+00, A4= 4.35890E-01, A6=-1.71833E+01, A8= 3.53203E+01 
A10=-2.20450E+03 
第12面
K= 0.00000E+00, A4= 2.29105E+00, A6=-3.77847E+01, A8= 3.00788E+02 
A10=-2.46900E+03 
第15面
K= 0.00000E+00, A4= 1.18022E+01, A6=-5.84875E+01, A8= 6.47057E+02 
A10= 1.16652E+03 
第16面
K= 0.00000E+00, A4= 6.48047E+00, A6=-4.96636E+01, A8= 4.46478E+02 
A10= 0.00000E+00 
【０１１４】
表  ３（各種データ）
焦点距離       1.0002
Ｆナンバー     1.45702
画角        14.2496
像高         0.2545
レンズ全長      1.2121
ＢＦ        0.19977
【０１１５】
表  ４（レンズ群データ）
レンズ群   始面    焦点距離
1      1      0.95733
2      9     -0.60022
3     11      0.79175
4     17      0.85759
5     19     -0.77148
【０１１６】
（数値実施例２）
数値実施例２のインナーフォーカスレンズ系は、図４に示した実施の形態２に対応する。数値実施例２のインナーフォーカスレンズ系の面データを表５に、非球面データを表６に、各種データを表７に、レンズ群データを表８に示す。
【０１１７】
表  ５（面データ）
面番号         r           d           nd         vd                
物面             ∞                                               
1          0.79600     0.08420     1.84666    23.8               
2          2.22810     0.03660                                   
3          0.79180     0.10050     1.48749    70.4               
4         13.99600     0.03710                                   
5        -38.11100     0.03030     1.84666    23.8               
6          0.63710     0.08110                                   
7          0.56090     0.01820     1.84666    23.8               
8          0.32510     0.15720     1.80139    45.4               
9*         2.07730     0.04550                                   
10(絞り)           ∞     0.02420                                   
11          3.84090     0.01940     1.74330    49.2               
12          0.42890     0.15560                                   
13*         0.68830     0.04850     1.80139    45.4               
14          6.98780     0.02420                                   
15          2.88520     0.01450     1.69895    30.0               
16          0.54400     0.00630                                   
17*         0.54570     0.18030     1.80139    45.4               
18*         3.80310     0.04680                                   
19          0.74850     0.04610     1.92286    20.9               
20        -10.23280     0.12620                                   
21         -0.34640     0.01450     1.92286    20.9               
22         -1.04010        (BF)                                   
像面             ∞                                               
【０１１８】
表  ６（非球面データ）
第9面
K= 0.00000E+00, A4= 6.95589E-01, A6= 3.67280E-01, A8=-2.13614E+00 
A10= 0.00000E+00 
第13面
K= 0.00000E+00, A4=-1.21486E+00, A6= 1.97963E+01, A8=-2.56762E+02 
A10= 9.39802E+02 
第17面
K= 0.00000E+00, A4= 2.83045E+00, A6=-1.90029E+01, A8= 2.08845E+02 
A10=-6.69473E+02 
第18面
K= 0.00000E+00, A4=-3.17054E-01, A6=-1.97100E+01, A8= 1.07629E+02 
A10= 0.00000E+00 
【０１１９】
表  ７（各種データ）
焦点距離       0.9999
Ｆナンバー     1.25098
画角        14.3773
像高         0.2545
レンズ全長      1.4548
ＢＦ        0.15748
【０１２０】
表  ８（レンズ群データ）
レンズ群   始面    焦点距離
1      1     1.00856
2     11    -0.65113
3     13     0.77731
4     19     0.75731
5     21    -0.56849
【０１２１】
（数値実施例３）
数値実施例３のインナーフォーカスレンズ系は、図７に示した実施の形態３に対応する。数値実施例３のインナーフォーカスレンズ系の面データを表９に、非球面データを表１０に、各種データを表１１に、レンズ群データを表１２に示す。
【０１２２】
表  ９（面データ）
面番号         r           d           nd         vd                
物面             ∞                                               
1          0.64370     0.19910     1.71300    53.9               
2          4.87130     0.11070                                   
3          1.19590     0.03030     1.75700    47.7               
4          2.20310     0.00120     1.52184    52.1               
5*         2.73740     0.06520                                   
6         -3.19200     0.01820     1.90366    31.3               
7          0.46350     0.12690     1.62041    60.3               
8         -1.40860    -0.00630                                   
9(絞り)           ∞     0.02420                                   
10          6.67320     0.01940     1.71300    53.9               
11          0.48480     0.17250                                   
12*         0.56970     0.05920     1.80139    45.4               
13*        10.24870     0.02460                                   
14         -3.99390     0.01450     1.69895    30.0               
15          0.77770     0.06380                                   
16*         0.72640     0.07580     1.62262    58.2               
17         -0.99390     0.11140                                   
18          0.91110     0.03100     2.00100    29.1               
19          4.50470     0.10060                                   
20         -0.33240     0.01450     1.53172    48.8               
21          2.26870        (BF)                                   
像面             ∞                                               
【０１２３】
表  １０（非球面データ）
第5面
K= 0.00000E+00, A4= 1.29038E+00, A6=-1.61668E+00, A8= 1.54259E+01 
A10= 8.31017E+00 
第12面
K= 0.00000E+00, A4= 1.81413E+00, A6= 6.17009E+00, A8=-1.06518E+01 
A10=-3.34452E+02 
第13面
K= 0.00000E+00, A4= 3.16602E+00, A6= 0.00000E+00, A8= 0.00000E+00 
A10= 0.00000E+00 
第16面
K= 0.00000E+00, A4= 2.99114E+00, A6=-1.05307E+01, A8= 1.38336E+02 
A10=-1.03341E+03 
【０１２４】
表  １１（各種データ）
焦点距離       1.0000
Ｆナンバー     1.24848
画角        14.1813
像高         0.2545
レンズ全長      1.4062
ＢＦ        0.14939
【０１２５】
表  １２（レンズ群データ）
レンズ群   始面    焦点距離
1      1     1.08074
2     10    -0.73417
3     12     2.83958
4     16     0.68564
5     18     1.13605
6     20    -0.54420
【０１２６】
（数値実施例４）
数値実施例４のインナーフォーカスレンズ系は、図１０に示した実施の形態４に対応する。数値実施例４のインナーフォーカスレンズ系の面データを表１３に、非球面データを表１４に、各種データを表１５に、レンズ群データを表１６に示す。
【０１２７】
表  １３（面データ）
面番号         r           d           nd         vd                
物面             ∞                                               
1          0.57630     0.16030     1.71300    53.9               
2          4.02480     0.00240                                   
3          0.75080     0.09590     1.71300    53.9               
4        -15.90400     0.02300     1.76182    26.6               
5          0.58450     0.02020                                   
6*         0.71240     0.01700     1.69384    53.1               
7          0.90650     0.03030                                   
8          1.27140     0.01820     1.48749    70.4               
9          0.40860     0.16980                                   
10(絞り)           ∞     0.06230                                   
11          0.77520     0.04690     1.59349    67.0               
12         -1.71510     0.01810                                   
13*        -2.45850     0.01460     1.61035    57.9               
14*         0.46020     0.07470                                   
15          0.40010     0.15290     1.48749    70.4               
16          0.46970     0.01730                                   
17*         0.61440     0.17600     1.82080    42.7               
18*        -0.85400     0.07140                                   
19         -0.34460     0.01460     1.76182    26.6               
20         -1.76520        (BF)                                   
像面             ∞                                               
【０１２８】
表  １４（非球面データ）
第6面
K= 0.00000E+00, A4=-1.54943E+00, A6= 8.20887E+00, A8=-7.05660E+02 
A10= 1.71375E+04, A12=-2.02551E+05, A14= 9.29483E+05 
第13面
K= 0.00000E+00, A4= 1.37811E+00, A6= 1.79304E+02, A8=-1.36859E+04 
A10= 3.99810E+05, A12=-4.15966E+06, A14= 0.00000E+00 
第14面
K= 0.00000E+00, A4= 1.19153E-01, A6= 2.39605E+02, A8=-1.94738E+04 
A10= 6.34597E+05, A12=-7.33098E+06, A14= 0.00000E+00 
第17面
K= 0.00000E+00, A4=-5.12323E-02, A6=-7.94354E+01, A8= 3.69661E+03 
A10=-8.12533E+04, A12= 6.49584E+05, A14= 0.00000E+00 
第18面
K= 0.00000E+00, A4=-1.20989E+00, A6=-1.16894E+02, A8= 3.99049E+03 
A10=-7.74948E+04, A12= 5.72833E+05, A14= 0.00000E+00 
【０１２９】
表  １５（各種データ）
焦点距離       1.0003
Ｆナンバー     1.45617
画角        14.1729
像高         0.2545
レンズ全長      1.3220
ＢＦ        0.13607
【０１３０】
表  １６（レンズ群データ）
レンズ群   始面    焦点距離
1      1     0.90593
2      8    -1.24371
3     11     0.90593
4     13    -1.62143
【０１３１】
（数値実施例５）
数値実施例５のインナーフォーカスレンズ系は、図１３に示した実施の形態５に対応する。数値実施例５のインナーフォーカスレンズ系の面データを表１７に、非球面データを表１８に、各種データを表１９に、レンズ群データを表２０に示す。
【０１３２】
表  １７（面データ）
面番号         r           d           nd         vd                
物面             ∞                                               
1          0.57010     0.09290     1.77250    49.6               
2          1.18990     0.08190                                   
3          0.53200     0.02420     1.72825    28.3               
4          0.29700     0.14920     1.55332    71.7               
5*         0.96750     0.06060                                   
6(絞り)           ∞     0.02420                                   
7          1.45400     0.01450     1.48749    70.4               
8          0.35170     0.16850                                   
9*         0.56410     0.04570     1.77250    49.5               
10*        42.16360     0.03030                                   
11         -1.72200     0.01450     1.68400    31.3               
12*         0.52780     0.05310                                   
13          0.41370     0.08480     1.48749    70.4               
14          0.66540     0.03690                                   
15          0.80640     0.05810     2.00100    29.1               
16         -1.53720     0.12680                                   
17         -0.35890     0.01450     1.84666    23.8               
18         -0.93050        (BF)                                   
像面             ∞                                               
【０１３３】
表  １８（非球面データ）
第5面
K= 0.00000E+00, A4= 1.16534E+00, A6= 5.62977E-01, A8= 2.56569E+01 
A10= 0.00000E+00 
第9面
K= 0.00000E+00, A4= 5.13449E-01, A6= 2.94646E+01, A8=-3.48257E+02 
A10= 1.86060E+03 
第10面
K= 0.00000E+00, A4= 1.88801E+00, A6= 0.00000E+00, A8= 0.00000E+00 
A10= 0.00000E+00 
第12面
K= 0.00000E+00, A4=-3.46522E+00, A6= 1.75023E+01, A8=-3.30940E+02 
A10= 0.00000E+00 
【０１３４】
表  １９（各種データ）
焦点距離       1.0000
Ｆナンバー     1.45234
画角        14.3871
像高         0.2545
レンズ全長      1.2522
ＢＦ        0.17150
【０１３５】
表  ２０（レンズ群データ）
レンズ群   始面    焦点距離
1      1     0.95859
2      7    -0.95576
3      9     0.73977
4     11    -0.58907
5     13     0.74863
【０１３６】
（数値実施例６）
数値実施例６のインナーフォーカスレンズ系は、図１６に示した実施の形態６に対応する。数値実施例６のインナーフォーカスレンズ系の面データを表２１に、非球面データを表２２に、各種データを表２３に、レンズ群データを表２４に示す。
【０１３７】
表  ２１（面データ）
面番号         r           d           nd         vd                
物面             ∞                                               
1          0.56510     0.12690     1.83481    42.7               
2          3.17830     0.00240                                   
3          0.53370     0.03910     2.00272    19.3               
4          0.64020     0.04470                                   
5          1.80630     0.02420     1.84666    23.8               
6          0.32010     0.10090     1.52500    70.3               
7*         1.30800     0.05020                                   
8(絞り)           ∞     0.02420                                   
9          1.58180     0.01450     1.56732    42.8               
10          0.39890     0.25050                                   
11          0.56180     0.05270     1.80420    46.5               
12         -2.37730     0.02180                                   
13         -8.65920     0.01450     1.69895    30.0               
14          0.53010     0.06670                                   
15          0.87490     0.07140     2.00100    29.1               
16         -0.76530     0.03210                                   
17         -0.57930     0.01450     1.72825    28.3               
18          1.61810        (BF)                                   
像面             ∞                                               
【０１３８】
表  ２２（非球面データ）
第7面
K= 0.00000E+00, A4= 1.61902E+00, A6=-3.36504E-01, A8= 9.06181E+01 
【０１３９】
表  ２３（各種データ）
焦点距離       0.9998
Ｆナンバー     1.45068
画角        14.3346
像高         0.2545
レンズ全長      1.2364
ＢＦ        0.28510
【０１４０】
表  ２４（レンズ群データ）
レンズ群   始面    焦点距離
1      1     1.04014
2      9    -0.94443
3     11     0.56960
4     13    -0.71421
5     15     1.11414
【０１４１】
（数値実施例７）
数値実施例７のインナーフォーカスレンズ系は、図１９に示した実施の形態７に対応する。数値実施例７のインナーフォーカスレンズ系の面データを表２５に、非球面データを表２６に、各種データを表２７に、レンズ群データを表２８に示す。
【０１４２】
表  ２５（面データ）
面番号         r           d           nd         vd                
物面             ∞                                               
1          0.93690     0.13140     1.80420    46.5               
2        -12.19410     0.02170                                   
3          4.06900     0.02610     1.59270    35.4               
4          1.51390     0.07250                                   
5         -4.77530     0.02610     1.67270    32.2               
6          0.52130     0.15600     1.80139    45.4               
7*       -22.41950     0.02390                                   
8(絞り)           ∞     0.04560                                   
9         -4.30740     0.02610     1.48749    70.4               
10          0.63090     0.24340                                   
11*         0.72300     0.09620     1.58913    61.3               
12*        -4.56290     0.04350                                   
13         -2.40770     0.02610     1.69895    30.0               
14          0.65800     0.09500                                   
15       -188.72890     0.05690     2.00100    29.1               
16         -1.06500     0.00430                                   
17          0.95870     0.13640     2.00100    29.1               
18         -0.55680     0.02610     1.76182    26.6               
19          0.33700     0.09330     1.80420    46.5               
20          0.75910        (BF)                                   
像面             ∞                                               
【０１４３】
表  ２６（非球面データ）
第7面
K= 0.00000E+00, A4= 4.66046E-01, A6=-7.56280E-01, A8= 2.19401E+00 
A10= 0.00000E+00 
第11面
K= 0.00000E+00, A4= 3.78057E-01, A6=-5.34753E-01, A8= 0.00000E+00 
A10= 0.00000E+00 
第12面
K= 0.00000E+00, A4= 8.69077E-01, A6=-1.13311E+00, A8= 5.25258E+00 
A10=-3.60363E+01 
【０１４４】
表  ２７（各種データ）
焦点距離       1.0002
Ｆナンバー     1.24315
画角        14.4014
像高         0.2545
レンズ全長      1.7390
ＢＦ        0.38837
【０１４５】
表  ２８（レンズ群データ）
レンズ群   始面    焦点距離
1      1     1.22435
2      9    -1.12689
3     11     0.77786
【０１４６】
以下の表２９に、各数値実施例のインナーフォーカスレンズ系における各条件の対応値を示す。
【０１４７】
表  ２９（条件の対応値）
【表１】
2014142601.tif 000004
【０１４８】
以上のように、本開示における技術の例示として、実施の形態を説明した。そのために、添付図面および詳細な説明を提供した。
【０１４９】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１５０】
また、上述の実施の形態は、本開示における技術を例示するためのものであるから、特許請求の範囲またはその均等の範囲において種々の変更、置き換え、付加、省略などを行うことができる。
【産業上の利用可能性】
【０１５１】
本開示は、デジタルスチルカメラ、デジタルビデオカメラ、スマートフォン等の携帯情報端末のカメラ、監視システムにおける監視カメラ、Ｗｅｂカメラ、車載カメラ等に適用可能である。特に本開示は、デジタルスチルカメラシステム、デジタルビデオカメラシステムといった高画質が要求される撮影光学系に適用可能である。
【符号の説明】
【０１５２】
Ｇ１    第１レンズ群
Ｇ２    第２レンズ群
Ｇ３    第３レンズ群
Ｇ４    第４レンズ群
Ｇ５    第５レンズ群
Ｇ６    第６レンズ群
Ｌ１    第１レンズ素子
Ｌ２    第２レンズ素子
Ｌ３    第３レンズ素子
Ｌ４    第４レンズ素子
Ｌ５    第５レンズ素子
Ｌ６    第６レンズ素子
Ｌ７    第７レンズ素子
Ｌ８    第８レンズ素子
Ｌ９    第９レンズ素子
Ｌ１０  第１０レンズ素子
Ｌ１１  第１１レンズ素子
Ａ      開口絞り
Ｓ      像面
１００  レンズ交換式デジタルカメラシステム
１０１  カメラ本体
１０２  撮像素子
１０３  液晶モニタ
１０４  カメラマウント部
２０１  交換レンズ装置
２０２  インナーフォーカスレンズ系
２０３  鏡筒
２０４  レンズマウント部
【図１】
2014142601.tif 000005
【図２】
2014142601.tif 000006
【図３】
2014142601.tif 000007
【図４】
2014142601.tif 000008
【図５】
2014142601.tif 000009
【図６】
2014142601.tif 000010
【図７】
2014142601.tif 000011
【図８】
2014142601.tif 000012
【図９】
2014142601.tif 000013
【図１０】
2014142601.tif 000014
【図１１】
2014142601.tif 000015
【図１２】
2014142601.tif 000016
【図１３】
2014142601.tif 000017
【図１４】
2014142601.tif 000018
【図１５】
2014142601.tif 000019
【図１６】
2014142601.tif 000020
【図１７】
2014142601.tif 000021
【図１８】
2014142601.tif 000022
【図１９】
2014142601.tif 000023
【図２０】
2014142601.tif 000024
【図２１】
2014142601.tif 000025
【図２２】
2014142601.tif 000026